(57)【要約】      （修正有）【課題】ユーザが選択した商品で実際に見立てることができる商品画像提供システムを提供する。【解決手段】商品画像提供システム１０では、商品の代わりに該商品の印刷物をそのまま使うことができない商品の画像を記憶する商品画像記憶手段と、前記画像記憶手段が記憶する画像の中から、商品の見立て用画像を選択した要求信号に応じてその商品をクライアントＰＣ３０に接続されたプリンタ３２で実物とほぼ同じ大きさで印刷することができる画像を送信する。【選択図】        図１
2004214839.tif 000002
【特許請求の範囲】
【請求項１】
商品の代わりに該商品の印刷物をそのまま使うことができない商品の画像を記憶する商品画像記憶手段と、
前記画像記憶手段が記憶する画像のうち所定の画像を見立て用画像として選択した旨の要求信号を受信したとき、該選択された商品の画像を要求元のプリンタが該商品の実物とほぼ同じ大きさで印刷する形式で要求元へ送信する見立て用画像送信手段とを備えた商品画像提供システム。
【請求項２】
前記商品画像記憶手段は、コーディネート可能な商品群を構成する商品ごとの画像を記憶する
請求項１記載の商品画像提供システム。
【請求項３】
請求項２記載の商品画像提供システムであって、
コーディネート可能な複数の商品の画像をコーディネートした旨の要求信号を受信したとき、該選択された複数の商品をコーディネートした画像を作成する商品画像作成手段を備え、前記見立て用画像送信手段は、前記コーディネートした商品の画像を見立て用画像として選択した旨の要求信号を受信したとき、該コーディネートした商品の画像を前記要求元のプリンタが該商品の実物とほぼ同じ大きさで印刷する形式で前記要求元へ送信する商品画像提供システム。
【請求項４】
前記コーディネート可能な商品群は、ネクタイ、ワイシャツ、ジャケット及びコートの少なくとも２つを含む
請求項２又は３記載の商品画像提供システム。
【請求項５】
前記コーディネート可能な商品群は、色又は柄のコーディネートが可能な商品群である
請求項２又は３記載の商品画像提供システム。
【請求項６】
前記見立て用画像送信手段は、前記商品の画像の少なくとも一部分を前記要求元のプリンタが該商品の実物とほぼ同じ大きさで印刷する形式で前記要求元へ送信する請求項１〜５のいずれかに記載の商品画像提供システム。
【請求項７】
請求項１〜６のいずれかに記載の商品画像提供システムであって、
前記見立て用画像に含まれる商品を注文した旨の要求信号を受信したとき、該注文された商品の発注を前記商品の販売元へ送信する発注送信手段を備えた商品画像提供システム。
【請求項８】
前記商品は衣料品である
請求項１〜７のいずれかに記載の商品画像提供システム。
【請求項９】
前記見立て用画像送信手段は、前記見立て用画像として選択した旨の要求信号を受信したとき、該選択された商品が襟を有する衣料品であれば、該商品の襟部分の画像を後襟部分を取り除いた画像に処理したあと、該画像を前記要求元のプリンタが該商品の実物とほぼ同じ大きさで印刷する形式で前記要求元へ送信する
請求項１〜８のいずれかに記載の商品画像提供システム。
【請求項１０】
商品の代わりに該商品の印刷物をそのまま使うことができない商品の画像を記憶した商品画像記憶手段を用いてコンピュータが商品の画像を提供する商品画像提供方法であって、
前記コンピュータが、前記商品画像記憶手段が記憶する画像のうち所定の画像を選択した旨の要求信号を受信したとき、該選択された商品の画像を要求元のプリンタが該商品の実物とほぼ同じ大きさで印刷する形式で要求元へ送信する画像送信ステップ
を含む商品画像提供方法。
【請求項１１】
請求項１０記載の商品画像提供方法におけるステップをコンピュータに実行させるための商品画像提供プログラム。
【発明の詳細な説明】
【０００１】
【発明の属する技術分野】
本発明は、商品画像提供システム、その方法及びそのプログラムに関する。
【０００２】
【従来の技術】
従来より、ユーザが衣料品のコーディネートをするにあたり、インターネットを利用して複数選択した商品の全体像がコンピュータのディスプレイに表示されるものが提案されている（例えば、特許文献１参照）。
【０００３】
【特許文献１】
特開２００２−１２３７５３
【０００４】
【発明が解決しようとする課題】
しかしながら、ユーザは選択した商品の全体像をディスプレイで確認するだけで、その選択した商品で実際に見立てることができないという問題があった。
【０００５】
本発明は、このような課題に鑑みなされたものであり、ユーザが選択した商品で実際に見立てることができる商品画像提供システム、その方法及びそのプログラムを提供することを目的とする。
【０００６】
【課題を解決するための手段およびその作用・効果】
上述の目的の少なくとも一部を達成するため、本発明の第１は、商品の代わりに該商品の印刷物をそのまま使うことができない商品の画像を記憶する商品画像記憶手段と、
前記画像記憶手段が記憶する画像のうち所定の画像を見立て用画像として選択した旨の要求信号を受信したとき、該選択された商品の画像を要求元のプリンタが該商品の実物とほぼ同じ大きさで印刷する形式で要求元へ送信する見立て用画像送信手段とを備えたものである。
【０００７】
この商品画像提供システムでは、商品の見立て用画像を選択した要求信号に応じてその商品を要求元のプリンタで実物とほぼ同じ大きさで印刷することができる画像を送信する。したがって、プリンタで出力した印刷物を使って選択した商品を実際に見立てることができる。
【０００８】
本発明の商品画像提供システムにおいて、前記商品画像記憶手段は、コーディネート可能な商品群を構成する商品ごとの画像を記憶してもよい。こうすれば、コーディネート可能な商品群を構成する商品ごとの画像をユーザに提供することができ、商品ごとの画像をユーザに選択させることができる。
【０００９】
本発明の商品画像提供システムにおいて、コーディネート可能な複数の商品の画像をコーディネートした旨の要求信号を受信したとき、該選択された複数の商品をコーディネートした画像を作成する商品画像作成手段を備え、前記見立て用画像送信手段は、前記コーディネートした商品の画像を見立て用画像として選択した旨の要求信号を受信したとき、該コーディネートした商品の画像を前記要求元のプリンタが該商品の実物とほぼ同じ大きさで印刷する形式で前記要求元へ送信してもよい。こうすれば、ユーザは自分好みに応じてコーディネートした商品の印刷物を使って実際に見立てることができる。
【００１０】
本発明の商品画像提供システムにおいて、前記コーディネート可能な商品群は、ネクタイ、ワイシャツ、ジャケット及びコートの少なくとも２つを含んでいてもよい。こうすれば、ネクタイとワイシャツ、ワイシャツとジャケット等のように、通常コーディネートすることが多い商品を選択することができる。
【００１１】
本発明の商品画像提供システムにおいて、前記コーディネート可能な商品群は、色又は柄のコーディネートが可能な商品群であってもよい。こうすれば、商品ごとの色の組み合わせ、商品ごとの柄の組み合わせ、商品ごとの色と柄との組み合わせをコーディネートすることができる。
【００１２】
本発明の商品画像提供システムにおいて、前記見立て用画像送信手段は、前記商品の画像の少なくとも一部分を前記要求元のプリンタが該商品の実物とほぼ同じ大きさで印刷する形式で前記要求元へ送信してもよい。ここでは、商品の実物の一部分を見れば見立てるには十分な場合もあることや、実物が大きいものであってもプリンタで出力した印刷物をつなぎ合わせて実物大として見立てることを考慮した。
【００１３】
本発明の商品画像提供システムにおいて、前記見立て用画像に含まれる商品を注文した旨の要求信号を受信したとき、該注文された商品の発注を前記商品の販売元へ送信する発注送信手段を備えていてもよい。こうすれば、ユーザは見立てた商品の注文を電話やＦＡＸ等を使わずに手間をかけずに速やかに行うことができ、便利である。
【００１４】
本発明の商品画像提供システムにおいて、前記商品は衣料品であってもよい。こうすれば、衣料品は組み合わせが豊富であり、その組み合わせを楽しむことができ、コーディネートする商品群の１つとして適切である。
【００１５】
本発明の商品画像提供システムにおいて、前記見立て用画像送信手段は、前記見立て用画像として選択した旨の要求信号を受信したとき、該選択された商品が襟を有する衣料品であれば、該商品の襟部分の画像を後襟部分を取り除いた画像に処理したあと、該画像を前記要求元のプリンタが該商品の実物とほぼ同じ大きさで印刷する形式で前記要求元へ送信してもよい。こうすれば、プリンタで出力した印刷物には後襟部分が取り除かれているため、印刷物を体に当てたとき実際に商品を着用しているかのような雰囲気で見立てることができ、便利である。
【００１６】
本発明の第２は、商品の代わりに該商品の印刷物をそのまま使うことができない商品の画像を記憶した商品画像記憶手段を用いてコンピュータが商品の画像を提供する商品画像提供方法であって、
前記コンピュータが、前記商品画像記憶手段が記憶する画像のうち所定の画像を選択した旨の要求信号を受信したとき、該選択された商品の画像を要求元のプリンタが該商品の実物とほぼ同じ大きさで印刷する形式で要求元へ送信する画像送信ステップ
を含むものである。
【００１７】
この商品画像提供方法では、商品の見立て用画像を選択した要求信号に応じてその商品を要求元のプリンタで実物とほぼ同じ大きさで印刷することができる画像を送信する。したがって、プリンタで出力した印刷物を使って選択した商品で実際に見立てることができる。
【００１８】
本発明の第３は、商品画像提供方法におけるステップをコンピュータに実行させるための商品画像提供プログラムである。
【００１９】
本発明の商品画像提供プログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに実行させれば、商品の見立て用画像を選択した要求信号に応じてその商品を要求元のプリンタで実物とほぼ同じ大きさで印刷することができる画像を送信する。したがって、プリンタで出力した印刷物を使って選択した商品で実際に見立てることができる。
【００２０】
【発明の実施の形態】
次に、本発明の実施形態を図面に基づいて説明する。図１は本実施形態の商品画像提供システムの概略構成を表す説明図である。
【００２１】
本実施形態の商品画像提供システム１０は、インターネット２０に接続されたウェブサーバ１２と、コーディネート可能な商品群に関する情報をデータベース化して記憶している商品群ＤＢ１４（ＤＢはデータベースの略）とで構成され、ウェブサーバ１２はインターネット２０を介してユーザが利用するクライアントパーソナルコンピュータ３０（以下、クライアントＰＣ３０という）と商品群ＤＢ１４に記憶した商品を販売するに販売元パーソナルコンピュータ４０（以下、販売元ＰＣ４０という）とに接続されている。
【００２２】
ウェブサーバ１２は、インターネット２０を介して通信可能に接続されたクライアントＰＣ３０の要求窓口となるサーバであり、クライアントＰＣ３０から受信したコーディネートコーナ画面や商品の選択画面の要求信号に応じて応答画面をクライアントＰＣ３０へ送信し、クライアントＰＣ３０からの商品の注文の要求信号に応じて注文内容をその商品の販売元ＰＣ４０へ送信する機能を有している。また、ウェブサーバ１２は、クライアントＰＣ３０に接続されたプリンタ３２の用紙サイズや印刷の向き等の印刷設定情報と選択した商品の商品番号とを受信したとき、印刷設定情報に応じて印刷する用紙に仮想的な用紙基準点を設定する。この用紙基準点は、選択した商品で実際に見立てることができる画像を作成するとき、プリンタ３２で出力する画像の印刷範囲を設定する位置決め用として使われる。
【００２３】
図２は商品群ＤＢ１４の商品画像情報テーブルを表す説明図である。商品群ＤＢ１４は、図２に示すように、ネクタイ、ワイシャツ、ジャケット及びコート等の商品ごとに商品番号と選択画像やプリント出力画像等の商品画像情報とを対応付けて商品画像情報テーブルとして記憶する。選択画像は、クライアントＰＣ３０の表示画面で見立て用画像を作成するときに使われる。一方、プリント出力画像は、クライアントＰＣ３０の表示画面で作成した見立て用画像を実物とほぼ同じ大きさとなる画像としてクライアントＰＣ３０に接続されたプリンタ３２で出力するときに使われる。なお、選択画像とプリント出力画像には画像基準点と重なり順序とが設定されており、クライアントＰＣ３０で見立て用画像を作成するとき及びウェブサーバ１２で見立て用画像を実物とほぼ同じ大きさにする画像を作成するときに使われる。例えば、ワイシャツとネクタイでは、ワイシャツの画像基準点は第一ボタン、ネクタイの画像基準点は結び目の中点に設定され、この画像ごとの画像基準点を一致するように配置させればワイシャツにネクタイが結ばれている状態とすることができる。また、プリント出力画面の画像基準点は、用紙基準点と一致するように配置させるときにも使われる。一方、重なり順序は、商品番号の先頭に付されたアルファベット順に奥から手前へと重ねて行き、ワイシャツの商品番号をＡ０２２、ネクタイの商品番号をＢ０１０とすれば、ネクタイがワイシャツより前面となる順序とすることができる。同様にジャケットの商品番号をＣ０００〜ＣＸＸＸ、コートの商品番号をＤ０００〜ＤＸＸＸＸとすれば、前面となる商品の順序がコート、ジャケット、ネクタイそしてワイシャツとすることができる。
【００２４】
次に、本実施形態の商品画像提供システム１０の動作について、ユーザがクライアントＰＣ３０を利用してウェブサーバ１２が運営するウェブサイトのコーディネートコーナでネクタイとワイシャツをコーディネートする場合について説明する。図３はコーディネートする商品群を表す説明図、図４はコーディネートコーナ画面を表す説明図、図５は選択画面を表す説明図、図６は画像作成のフローチャート、図７は印刷範囲の設定を表す説明図、図８は印刷プレビュー画面を表す説明図である。
【００２５】
図３に示すように、クライアントＰＣ３０は、ウェブサーバ１２が開設しているコーディネートコーナを提供するウェブサイトにアクセスしているとき、ユーザのキーボード操作又はマウス操作に応じてコーディネートサービスの要求信号をウェブサーバ１２へ送信する（ステップＳ１００）。これを受信したウェブサーバ１２は、図４に示すコーディネートコーナ画面５０をクライアントＰＣ３０に送信する（ステップＳ１１０）。すると、クライアントＰＣ３０はこのコーディネートコーナ画面５０をディスプレイに表示する。ユーザはこのコーディネートコーナ画面５０からコーディネートする商品を選択し、最後に「次へ」ボタンを選択する（ここでは、ネクタイとワイシャツが選択されたものとする）。すると、クライアントＰＣ３０は、このコーディネートコーナ画面５０で選択された商品の一覧（ネクタイとワイシャツ）の要求信号をウェブサーバ１２へ送信する（ステップＳ１２０）。これを受信したウェブサーバ１２は、選択された商品に含まれる商品番号とその商品番号に対応する選択画像とを商品画像情報テーブル（図２参照）から読み出し、商品の選択画面６０をクライアントＰＣ３０へ送信する（ステップＳ１３０）。このとき、ウェブサーバ１２は、クライアントＰＣ３０に接続されたプリンタ３２の印刷設定情報を読み取るプログラムも併せてクライアントＰＣ３０へ送信する。
【００２６】
ステップＳ１３０の商品の選択画面６０と印刷設定情報を読み取るプログラムとをクライアントＰＣ３０が受信すると、クライアントＰＣ３０は選択した商品に含まれる商品番号と商品番号に対応する選択画像６０とをディスプレイに一覧表示する。そのときの様子を図５に示す。ユーザはワイシャツとネクタイの選択画像の中から好みものをそれぞれ１つ選択する。このとき、見立て用画像６２には、ユーザが選択したワイシャツとネクタイとをコーディネートした画像が表示される。また、選択画面６０には、ステップＳ１３０で受信したプリンタ３２の印刷設定情報を読み取るプログラムが、受信後直ちに実行されることにより、読み取った印刷設定情報（ここでは、用紙サイズ：Ａ４，印刷の向き：縦）がプリンタの設定内容表示欄６４に表示される。ステップＳ１３０で受信した選択画像には予め画像基準点と重なり順序とが設定されており、クライアントＰＣ３０は、ユーザが選択したワイシャツとネクタイとの選択画像をこの画像基準点（ワイシャツの第１ボタンとネクタイの結び目の中心）と重なり順序（商品番号の先頭に付されたアルファベット順に奥から手前へと重なる。ここでは、ネクタイが手前となる）とに基づいて選択画像を合成した画像を作成し、見立て用画像６２にその合成した画像を表示する。ユーザはワイシャツとネクタイとを種々コーディネートしたあと、好みのものが決まれば、最後に「次へ」ボタンを選択する。すると、クライアントＰＣ３０は、選択された選択画面６０に対応する商品番号（ワイシャツ：Ａ００１，ネクタイ：Ｂ０７２）と読み取ったプリンタ３２の印刷設定情報とをウェブサーバ１２へ送信する（ステップＳ１４０）。
【００２７】
これを受信したウェブサーバ１２は、図６に示すように、その商品番号に対応するプリント出力画像を商品画像情報テーブル（図２参照）から読み出し（ステップＳ２００）、読み出したワイシャツとネクタイのプリント出力画像を１つに合成する（ステップＳ２１０）。プリント出力画像には、選択画像と同様な画像基準点と重なり順序とが設定されており、ステップＳ２１０で作成する画像はこの画像基準点と重なり順序とに基づいて作成されている。受信したプリンタ３２に設定されている印刷設定情報に基づいてステップＳ２１０で作成した画像を実物とほぼ同じ大きさで見立てることができる画像に処理し（ステップＳ２２０）、この処理を終える。
【００２８】
ここで、ステップＳ２２０の画像の作成について図７に基づいて説明する。図７（ａ）に示すように、ウェブサーバ１２は、ステップＳ２１０で作成した画像をプリンタ３２で印刷したときその画像が実物とほぼ同じ大きさとなるように印刷設定情報（用紙サイズ：Ａ４，印刷の向き：縦）に基づいて画像の拡大率を設定し、その設定した拡大率で拡大した画像（拡大画像）を作成する。このとき、拡大画像の画像基準点は拡大されてもワイシャツの第１ボタンとネクタイの結び目の中心に維持されている。そして、ウェブサーバ１２は、用紙に設定する仮想的な用紙基準点Ｘについて、用紙の中心線上にあって、ユーザが選択した商品をプリンタ３２で出力したときワイシャツの前襟部分の全体像が確実に印刷される位置に設定する。ステップＳ２２０の画像は、ウェブサーバ１２が拡大画像の画像基準点と用紙基準点Ｘとを一致させるように作成した画像である（図７（ｂ）参照）。
【００２９】
図３に戻り、処理した画像を印刷プレビュー画面７０としてクライアントＰＣ３０に送信する（ステップＳ１５０）。すると、クライアントＰＣ３０は、この印刷プレビュー画面７０をディスプレイに表示する。このときの様子を図８に示す。図８に示すように、印刷プレビュー画面７０には、左側に印刷するコーディネートした画像が表示され、右側に印刷して見立てを行う印刷ボタン７２とコーディネートした画像の商品を注文する注文ボタン７４とが表示される。ユーザが印刷ボタン７２を選択すると、印刷プレビュー画面７０に表示されている画像がプリンタ３２に出力される。図９はプリンタ３２が出力した印刷物を表す説明図である。図９に示すように、この印刷物は、実物とほぼ同じ大きさであり、ユーザは、プリンタ３２で出力された印刷物を使って実際に見立てることができる。
図８に戻り、ユーザが注文ボタン７４を選択すると、図３に戻り、クライアントＰＣ３０は注文要求をウェブサーバ１２へ送信する（ステップＳ１６０）。これを受信したウェブサーバ１２は、氏名、住所電話番号及びメールアドレス等のユーザ情報を入力するユーザ情報入力画面をクライアントＰＣ３０へ送信する（ステップＳ１７０）。すると、クライアントＰＣ３０は、受信したユーザ情報入力画面をディスプレイに表示する。ユーザは図示しないユーザ情報入力画面にユーザ情報を入力後、最後に「ＯＫ」ボタンを選択する。すると、クライアントＰＣ３０は、入力したユーザ情報と注文する商品番号とをウェブサーバ１２へ送信する（ステップＳ１８０）。これを受信したウェブサーバ１２は、受信したユーザ情報と商品番号とをその商品の販売元ＰＣ４０へ送信する（ステップＳ１９０）。
【００３０】
ここで、本実施形態の構成要素と本発明の構成要素との対応関係を明らかにする。本実施形態の商品群ＤＢ１４が商品画像記憶手段に相当し、ウェブサーバ１２が見立て用画像送信手段、商品画像作成手段、発注送信手段に相当する。また、図３のフローチャートのステップＳ１５０が見立て用画像送信手段の処理に相当し、ステップＳ１９０が発注送信手段の処理に相当し、図６のフローチャートのステップＳ２１０が商品画像作成手段の処理に相当する。
【００３１】
以上説明した本実施形態によれば、ウェブサーバ２０が、商品の見立て用画像６２を選択した要求信号に応じてその商品をクライアントＰＣ３０に接続されたプリンタ３２で実物とほぼ同じ大きさで印刷することができる画像を送信するため、ユーザはプリンタ３２で出力した印刷物を使って選択した商品を実際に見立てることができる。
【００３２】
また、商品群ＤＢ１４には、コーディネート可能な商品群（ネクタイ、ワイシャツ、ジャケット及びコート）を構成する商品ごとの画像を記憶するため、コーディネート可能な商品群を構成する商品ごとの画像をユーザに提供することができ、商品ごとの画像をユーザに選択させることができる。
【００３３】
更に、ウェブサーバ１２は、ユーザが選択した商品のコーディネートした画像を作成し、プリンタ３２がその商品の実物とほぼ同じ大きさで印刷する形式で作成した画像を前記クライアントＰＣ３０へ送信しているため、ユーザは自分好みに応じてコーディネートした商品の印刷物を使って実際に見立てることができる。
【００３４】
更にまた、商品群ＤＢ１４には、コーディネート可能な商品群として、ネクタイ、ワイシャツ、ジャケット及びコートとしているため、ネクタイとワイシャツ、ワイシャツとジャケット、ネクタイとワイシャツとジャケット等のように、通常コーディネートすることが多い商品を選択することができる。
【００３５】
そして、ウェブサーバ１２は、ユーザが選択した商品の一部分をプリンタ３２がその商品の実物とほぼ同じ大きさで印刷する形式でクライアントＰＣ３０へ送信しているため、大判プリンタで実物と同じ大きさのものを印刷する場合と異なり塗料等のコストもかからず、商品の実物の一部分を見れば見立てるには十分な場合には、一部分だけを印刷することにより塗料等の使用量を抑えることができる。
【００３６】
そしてまた、ウェブサーバ１２は、ユーザが見立てた商品を注文するとき、その選択した商品を販売元へ送信しているため、ユーザは電話やＦＡＸ等を使わずに手間をかけずに速やかに注文することができる。
【００３７】
なお、本発明は上述した実施形態に何ら限定されることはなく、本発明の技術的範囲に属する限り種々の態様で実施し得ることはいうまでもない。
【００３８】
上述した実施形態ではウェブサーバ１２がウェブサイトの運営のほかユーザが選択した商品のコーディネートした画像の作成を担当したが、複数のサーバを用いてこの機能を受け持つように構成してもよい。例えばウェブサーバ１２はウェブサイトの運営を受け持ち、他のサーバがユーザが選択した商品のコーディネートした画像の作成を受け持つようにしてもよい。
【００３９】
また、上述した実施形態ではコーディネート可能な商品群としてネクタイ、ワイシャツ、ジャケット及びコート等も色又は柄のコーディネートが可能な商品群であるが、その他の色又は柄のコーディネートが可能な商品群（例えば、テーブルクロスやランチョンマット等）であってもよい。こうすれば、商品ごとの色の組み合わせ、商品ごとの柄の組み合わせ、商品ごとの色と柄との組み合わせをコーディネートすることができる。
【００４０】
更に、上述した実施形態ではコーディネートする商品群としてネクタイ、ワイシャツ、ジャケット及びコート等の衣料品であってもよし、その他の衣料品（例えば、マフラーやスカーフ等）であってもよい。こうすれば、衣料品は組み合わせが豊富であり、その組み合わせを楽しむことができ、コーディネートする商品群の１つとして適切である。
【００４１】
更にまた、上述した実施形態ではウェブサーバ１２がユーザが選択した商品をプリンタ３２がその商品の実物とほぼ同じ大きさで印刷する形式でクライアントＰＣ３０へ送信していたが、その商品の商品番号とプリント出力画像と実物とほぼ同じ大きさで印刷するプログラムとをクライアントＰＣ３０へ送信してもよい。こうすれば、ユーザはコーディネートした商品を印刷するとき用紙サイズをＡ４からＡ３、印刷の向きを縦から横等の変更時、ウェブサーバ１２に再度アクセスすることなく、上述した作成方法により、クライアントＰＣ３０が、受信したプリント出力画像の画像基準点と重なり順序（商品番号の先頭に付されたアルファベット順に奥から手前へと重なる）とに基づいて選択した商品のプリント出力画像を合成し、印刷設定情報に基づいて画像の拡大率を設定し、その拡大率で拡大した画像（拡大画像）を作成し、印刷する用紙に応じて仮想的に用紙基準点を設定し、拡大画像の画像基準点と用紙基準点とが一致する画像をクライアントＰＣ３０に接続されたプリンタ３２で印刷することができる。また、ウェブサーバ１２の負担を軽減することもできる。
【００４２】
そして、上述した実施形態ではウェブサーバ１２がユーザが選択した商品の一部分をプリンタ３２が商品の実物とほぼ同じ大きさで印刷する形式でクライアントＰＣ３０へ送信していたが、見立てができる一部分だけでなく、一部分を連続的につなぎ合わせて商品の全体となるような形式でクライアントＰＣ３０に送信してもよい。こうすれば、実物が大きいものであってもプリンタ３２で出力した印刷物をつなぎ合わせて実物大として見立てることができる。例えば、選択した商品がカーテンの場合には、プリンタ３２で出力した印刷物をつなぎ合わせることで実物大とすることができ、実際に見立てることができる。
【００４３】
そしてまた、上述した実施形態では襟を有する商品のプリント出力画像の襟部分は、後襟部分を取り除いた画像が商品群ＤＢ１４に記憶されていたが、後襟部分を取り除かない画像を商品群ＤＢ１４に記憶してもよい。この場合、ウェブサーバ１２が後襟部分を取り除く画像処理を行ってもよい。
【００４４】
そして更に、上述した実施形態では襟を有する商品のプリント出力画像の襟部分は、後襟部分を取り除かれていた画像襟をプリンタ３２で出力していたが、商品の前襟部分の首まわりにはキリトリ線を付せてをプリンタ３２で出力してもよい。こうすれば、ユーザはナイフやはさみ等でキリトリ線に沿って印刷物を切り取れば、一層、体に密着させて見立てることができる。
【００４５】
そして更にまた、上述した実施形態では選択した商品の平面画像をプリンタ３２で出力していたが、その商品を展開図にした画像を出力してもよい。例えばネクタイでは、印刷された展開図から立体を作ることは容易であり、ワイシャツ、ジャケット及びコート等に見立てるとき平面的な画像に比べて実物の商品かのような雰囲気を感じることができる。
【００４６】
また、上述した実施形態では商品群ＤＢ１４は商品番号と商品画像情報等を記憶していたが、商品ごとの価格、サイズ及び納期等の商品情報を記憶し、販売元ＰＣ４０は商品情報をウェブサーバ１２へ適宜送信して、商品群ＤＢ１４の商品情報を更新してもよい。こうすれば、ユーザは商品情報をも考慮して商品をコーディネートすることができる。
【００４７】
更に、上述した実施形態では商品の代わりにその商品の印刷物をそのまま使うことができる商品（例えば、絵画等）は印刷サンプルで満足される恐れがあり、除外した。
【図面の簡単な説明】
【図１】本実施形態の商品画像提供システムの概略構成を表す説明図。
【図２】商品群ＤＢ１４の商品画像情報テーブルを表す説明図。
【図３】コーディネートする商品群を表す説明図。
【図４】コーディネートコーナ画面を表す説明図。
【図５】選択画面を表す説明図。
【図６】画像作成のフローチャート。
【図７】印刷範囲の設定を表す説明図。
【図８】印刷プレビュー画面を表す説明図。
【図９】プリンタが出力した印刷物を表す説明図。
【符号の説明】
１０…商品画像提供システム、１２…ウェブサーバ、１４…商品群ＤＢ、２０…インターネット、３０…クライアントＰＣ、３２…プリンタ、４０…販売元ＰＣ，５０…コーディネートコーナ画面、６０…選択画面、６２…見立て用画像、６４…プリンタの設定内容表示欄、７０…印刷プレビュー画面、７２…印刷ボタン、７４…注文ボタン。
【図１】
2004214839.tif 000003
【図２】
2004214839.tif 000004
【図３】
2004214839.tif 000005
【図４】
2004214839.tif 000006
【図５】
2004214839.tif 000007
【図６】
2004214839.tif 000008
【図７】
2004214839.tif 000009
【図８】
2004214839.tif 000010
【図９】
2004214839.tif 000011